(57)【特許請求の範囲】
【請求項１】
硬貨を積載収納するコインチューブと、該コインチューブの下面に往復移動可能に配設され、硬貨収納位置で該コインチューブに積載された最下部の硬貨を硬貨収容孔に収容し硬貨払出位置まで移動させて硬貨を払い出すペイアウトスライドを具備してなる硬貨払出装置において、
前記コインチューブの側壁に一方端が枢支され他方端がコインチューブの最下部に位置するように配設された弾性部材でなる硬貨支承手段であって、前記他方端の一部に突出して形成され、前記ペイアウトスライドが硬貨収納位置にあるとき該ペイアウトスライドと係合し、前記ペイアウトスライドが硬貨払出位置にあるときは前記コインチューブの下部開口部内に突出することなく前記ペイアウトスライドとの係合が解除される係合部と、前記他方端の他の一部に前記係合部の先端より内側でＬ字形状に折れ曲がり前記コインチューブの下部開口部に突出し最下部の硬貨を支承するための硬貨支承部とを形成してなる、及び、前記ペイアウトスライドの少なくとも一部が、前記コインチューブの最下部に対し前記硬貨支承手段の前記硬貨支承部が移動可能な間隙を有してなり、
前記ペイアウトスライドが硬貨収納位置にあるとき前記ペイアウトスライドと前記係合部とが当接して係合し、これにより前記係合部を押し出して前記硬貨支承部を前記コインチューブの下部開口部から退避するようにし、且つ前記ペイアウトスライドが硬貨払出位置にあるときは、前記ペイアウトスライドと前記係合部との係合が解除され、前記硬貨支承部が前記コインチューブの下部開口部に突出するようにしたことを特徴とする硬貨払出装置。
【請求項２】
前記硬貨支承手段が金属製の弾性体でなる請求項１記載の硬貨払出装置。
【請求項３】
前記硬貨支承部の先端部が円弧形状に形成されてなる請求項１記載の硬貨払出装置。
【請求項４】
前記ペイアウトスライドの少なくとも一部に前記硬貨支承手段の前記硬貨支承部が移動可能になるように凹部を形成されてなる請求項１記載の硬貨払出装置。
【請求項５】
前記硬貨支承手段がコイン払出方向に対し前記コインチューブの中心から偏倚した位置の側壁に枢支されてなる請求項１記載の硬貨払出装置。
【請求項６】
硬貨を積載収納するコインチューブと、該コインチューブの下面に往復移動可能に配設され、硬貨収納位置で該コインチューブに積載された最下部の硬貨を硬貨収容孔に収容し硬貨払出位置まで移動させて硬貨を払い出すペイアウトスライドを具備してなる硬貨払出装置において、
前記コインチューブの側壁に一方端が枢支され他方端がコインチューブの最下部に位置するよう配設された弾性部材でなる硬貨支承手段であって、前記他方端の一部に突出して形成され、前記ペイアウトスライドが硬貨収納位置にあるとき該ペイアウトスライドと係合し、前記ペイアウトスライドが硬貨払出位置にあるときは前記コインチューブの下部開口部内に突出することなく前記ペイアウトスライドとの係合が解除される係合部と、前記他方端の他の一部に前記係合部の先端より内側でＬ字形状に折れ曲がり前記コインチューブの下部開口部に突出し最下部の硬貨を支承するための硬貨支承部とを形成してなる、及び、前記ペイアウトスライドが、該ペイアウトスライドの前記硬貨支承手段が対応する端部であって該硬貨支承手段の前記係合部が前記端部先端より内側で係合するように形成された切り欠部と、該切り欠部に隣接して前記硬貨支承手段の前記硬貨支承部が移動可能に形成された凹部とを有してなり、
前記ペイアウトスライドが硬貨収納位置にあるとき前記切り欠部と前記係合部とが係合して、該係合部を押し出して前記硬貨支承部を前記コインチューブの下部開口部から退避するようにし、且つ前記ペイアウトスライドが硬貨払出位置にあるときは、前記切り欠部と前記係合部との係合が解除され、前記硬貨支承部が前記コインチューブの下部開口部に突出するようにしたことを特徴とする硬貨払出装置。
【請求項７】
前記硬貨支承手段が金属製の弾性体でなる請求項６記載の硬貨払出装置。
【請求項８】
前記硬貨支承部の先端部が円弧形状に形成されてなる請求項６記載の硬貨払出装置。
【請求項９】
前記硬貨支承手段がコイン払出方向に対し前記コインチューブの中心から偏倚した位置の側壁に枢支されてなる請求項６記載の硬貨払出装置。
【発明の詳細な説明】
【０００１】
【発明の属する技術分野】
この発明は、コインチューブ内に積載収容された硬貨を一枚づつ払い出す硬貨払出装置の改良に関する。
【０００２】
【従来の技術】
一般に自動販売機等の機器内には、投入硬貨の正偽を判別するとともに、正貨を金種別に選別収容し、また釣り銭の額に応じて硬貨を払い出す硬貨処理装置が配設されている。
【０００３】
この硬貨処理装置は、大別して投入硬貨の正偽を判別し、かつ正貨を金種別に選別するとともに、偽貨を排除する硬貨選別装置と、この硬貨選別装置により選別された正貨を金種毎に積載収容する複数本のコインチューブからなる硬貨収容装置と、この硬貨収容装置の各コインチューブ内から釣り銭の額に応じて硬貨を払い出す硬貨払出装置とから構成されている。
【０００４】
図７は従来の硬貨払出装置１を示す要部断面図である。
【０００５】
この従来の硬貨払出装置１は、硬貨収容装置の主要構成要素であるコインチューブ２内に積載収容された複数枚の硬貨Ａのうち、その最下面に位置する一枚の硬貨３を収容する硬貨収容孔４が形成されたペイアウトスライド５から構成されている。
【０００６】
このペイアウトスライド５は、コインチューブ２と、このコインチューブ２の下面に固着されたコインベース６との間に形成された硬貨払出用のスリット７内に遊挿し、図示せぬモータおよびリンク等からなる周知の駆動手段を介し矢印Ｂ方向へ向け往復移動するように構成されている。
【０００７】
このような構造の硬貨払出装置１によると、図８で示すように、ペイアウトスライド５が図示せぬ駆動装置を介して矢印Ｂ方向へ移動し、硬貨収容孔４の内周面をコインベース６の外周縁６ａから脱出させると、当該硬貨収容孔４内に収容された一枚の硬貨３が自重により下方へ落下して払い出される。
【０００８】
その際、コインチューブ２内に残存する複数枚の硬貨Ａの下面を、ペイアウトスライド５の先端に形成された硬貨支承面５ａで支承し、当該硬貨Ａの積載姿勢がコインチューブ２内において変化しないようにしている。
【０００９】
一方、上述した硬貨払出装置１の幅は、図示せぬ硬貨処理装置内に面一で装着する都合上、図７に示すように一定値Ｗに規定されている。
【００１０】
このため、図９で示すように、複数本のコインチューブのうち大径の硬貨Ｃ（硬貨Ａの径＜硬貨Ｃの径）を積載収容するコインチューブ１０と対向する部分のペイアウトスライド５に形成された硬貨支承面５ｂの長さＳ２は、大径の硬貨Ｃを収容する硬貨収容孔１１をペイアウトスライド５に形成する都合上、図７に示す小径硬貨Ａの硬貨支承面５ａの長さＳ１と比較して、短く（Ｓ２＜Ｓ１）ならざるを得ない。
【００１１】
【発明が解決しようとする課題】
ところで、図９で示すように、大径の硬貨Ｃ（硬貨Ａの径＜硬貨Ｃの径）を積載収容するコインチューブ１０と対向する硬貨支承面５ｂの長さＳ２を短く（Ｓ２＜Ｓ１）設定すると、図１０で示すように、ペイアウトスライド５を矢印Ｂ方向へ引き出し、それにより硬貨収容孔１１内に収容された大径の硬貨１２を払い出す際に、コインチューブ１０内に残された大径の硬貨Ｃの下面は長さＳ２が短い硬貨支承面５ｂで支承されることとなる。
【００１２】
このように、径の大きい硬貨Ｃの一部を、長さの短い硬貨支承面５ｂで支承すると、硬貨Ｃの支承状態が不安定になり、コインチューブ１０内に残された大径の硬貨Ｃの姿勢が傾斜しやすく、このように大径の硬貨Ｃの収容姿勢が傾斜した状態のまま、ペイアウトスライド５が図９の初期位置に復帰すると、その際、当該ペイアウトスライド５と傾斜した姿勢の硬貨Ｃとの衝突によりペイアウトスライド５に加わる機械的負荷が増大し、このためペイアウトスライド５に磨耗あるいは損傷が発生しやすく、さらにコインチューブ１０内に収容された硬貨Ｃの枚数が少ない場合は、ペイアウトスライド５との衝突によりコインチューブ１０内で硬貨Ｃが踊り、このため払い出すべき硬貨Ｃが硬貨収容孔１１内に収容されず、硬貨Ｃを払い出すことができなくなる難点もある。
【００１３】
このような、難点を解消するためには、図１１で示すように、ペイアウトスライド５の硬貨支承面５ｂの長さＳ３を長く（Ｓ３＞Ｓ２）設定すればよいが、そうすると、図１２で示すように、ペイアウトスライド５を初期位置に復帰させた際に、その硬貨支承面５ｂがコインチューブ１０の正面１０ａ側から大きく突出し、このためペイアウトスライド５の硬貨支承面５ｂにおける硬貨払出装置１の幅Ｗ１が、図７に示すコインチューブ２の部分の幅Ｗと比較して大きく（Ｗ１＞Ｗ）なって大型化するだけでなく、硬貨払出装置１を硬貨処理装置内に面一で装着することができなくなる難点もある。
【００１４】
一方、このような難点を解消するため、従来では実開平２ー９９４６５号公報の図１０で開示されているように、コインチューブの背面に先端がＬ字形状をした板材からなるブロックを配設し、ペイアウトスライドの初期位置において、コインチューブの最下面からそのブロックの先端を脱出させ、また硬貨を払い出す際はそのブロックの先端をコインチューブの最下面内に突出させて、コインチューブの最下面にある硬貨を支承させるようにしたものがある。
【００１５】
しかしながら、この実開平２ー９９４６５号に記載されたものでは、板材からなるペイアウトスライドの先端を、これも板材からなるブロックの先端に直接衝突させて当該ブロックをコインチューブの最下面から脱出させる構造であるから、その衝突が長期に渡り何度となく繰り返されると、衝突するペイアウトスライド先端とブロック先端とがそれぞれ変形して損傷を受け易く、特に板材からなるブロックの先端が損傷を受けて変形すると、ペイアウトスライドの先端とブロックの先端とが互いに衝突せず、このためブロックがコインチューブの最下面内に突出した状態のままとなってコインチューブ内から硬貨を払い出すことができなくなる虞がある。
【００１６】
また実開平２ー９９４６５号に記載されたものでは、ペイアウトスライドの先端をブロックの先端に直接衝突させて当該ブロックをコインチューブの最下面から脱出させる構造であるから、当該ブロックがコインチューブの最下面から脱出した際に、ブロック後端がコインチューブの一側面から突出する量が大きく、そのため硬貨払出装置の幅Ｗが大きくなる難点もある。
【００１７】
この発明は、上述した事情に鑑み、小型で損傷を受けにくく、しかも安定して硬貨を払い出すことのできる硬貨払出装置を提供することを目的とする。
【００１８】
【課題を解決するための手段】
上述した課題を解決するため、この発明では、硬貨を積載収納するコインチューブと、該コインチューブの下面に往復移動可能に配設され、硬貨収納位置で該コインチューブに積載された最下部の硬貨を硬貨収容孔に収容し硬貨払出位置まで移動させて硬貨を払い出すペイアウトスライドを具備してなる硬貨払出装置であって、以下を具備してなる硬貨払出装置を提供する。
【００１９】
前記コインチューブの側壁に一方端が枢支され他方端がコインチューブの最下部に位置するように配設された弾性部材でなる硬貨支承手段であって、前記他方端の一部に突出して形成され、前記ペイアウトスライドが硬貨収納位置にあるとき該ペイアウトスライドと係合し、前記ペイアウトスライドが硬貨払出位置にあるときは前記コインチューブの下部開口部内に突出することなく前記ペイアウトスライドとの係合が解除される係合部と、前記他方端の他の一部に前記係合部の先端より内側でＬ字形状に折れ曲がり前記コインチューブの下部開口部に突出し最下部の硬貨を支承するための硬貨支承部とを形成してなる、及び、前記ペイアウトスライドの少なくとも一部が、前記コインチューブの最下部に対し前記硬貨支承手段の前記硬貨支承部が移動可能な間隙を有してなり、前記ペイアウトスライドが硬貨収納位置にあるとき前記ペイアウトスライドと前記係合部とが当接して係合し、これにより前記係合部を押し出して前記硬貨支承部を前記コインチューブの下部開口部から退避するようにし、且つ前記ペイアウトスライドが硬貨払出位置にあるときは、前記ペイアウトスライドと前記係合部との係合が解除され、前記硬貨支承部が前記コインチューブの下部開口部に突出するようにした。
【００２０】
【発明の実施の形態】
以下、この発明に係わる硬貨払出装置の一実施例を詳述する。
【００２１】
図１はこの発明に係わる硬貨払出装置２０を示す要部断面図で、図９と同一部分を同一符号で示している。
【００２２】
この硬貨払出装置２０では、各コインチューブの正面側、即ち図１で示す大径の硬貨Ｃ（硬貨Ａの径＜硬貨Ｃの径）を積載収容するコインチューブ１０の正面１０ａ側に硬貨支承部材２１が配設されている。
【００２３】
なお、この硬貨払出装置２０では、大径の硬貨Ｃ（硬貨Ａの径＜硬貨Ｃの径）を積載収容するコインチューブ１０においても、硬貨払出装置２０の幅が、一定値Ｗ２（Ｗ２＜Ｗ＜Ｗ１）に規定されている。
【００２４】
この硬貨支承部材２１は、コインチューブ１０の正面１０ａ側に位置する周面に図示せぬネジ等の締着手段を介し、その上端２２ａが枢支された弾性を有する金属製板材からなる弾性体の硬貨支承手段２２から構成されている。
【００２５】
なお、この硬貨支承手段２２は磨耗しにくい弾性を有するセラミック、合成樹脂等の板材により構成しても良い。
【００２６】
この硬貨支承手段２２の下端２２ｂ側には、図１のＣＣ断面で示す図２および図１の概念斜視図で示す図３のように、ペイアウトスライド３０の先端に形成された切り欠３０ａと係合する直線状の係合部２２ｃと、コインチューブ１０側に向けＬ字形状に折り曲げられた硬貨支承部２２ｄとが互いに隣接して形成されている。なお、この硬貨支承部２２ｄは先端が円弧形状に形成されており、またこの硬貨支承部２２ｄはペイアウトスライド３０の上面に形成され、かつ底面が凹状に湾曲した凹部３０ｂ内に遊挿している。
【００２７】
また、図２に示すように、硬貨支承手段２２および硬貨支承部２２ｄはコインチューブ１０の中心Ｏを通過する直線であって、しかもペイアウトスライ３０の進行方向と同一方向の直線Ｍに対して距離Ｎだけ偏倚された位置に配設されている。
【００２８】
次に上述した硬貨支承部材２１の作用を説明する。
【００２９】
図１に示すペイアウトスライド３０の初期位置、即ち、コインチューブ内１０に積載収容された大径の硬貨Ｃうち、その最下面に位置する硬貨１２を硬貨収容孔１１内に収容する初期位置では、硬貨支承部材２１を構成する硬貨支承手段２２の係合部２２ｃがペイアウトスライド３０の切り欠３０ａ（図３）と衝突し係合している。
【００３０】
このため、ペイアウトスライド３０の初期位置では、スライド移動するペイアウトスライド３０の付勢力により、切り欠３０ａに係合する硬貨支承手段２２が図１で示すように反時計方向へ湾曲し、このため硬貨支承部２２ｄはコインチューブ１０内の最下面から退避し、コインチューブ１０内に収容された大径の硬貨Ｃのうち、その最下面に位置する硬貨１２のみを硬貨収容孔１１内にスムーズに収容する状態を維持している。
【００３１】
なお、図２および図３で示すように、この硬貨払出装置２０では、硬貨支承手段２２の直線状の係合部２２ｃとペイアウトスライド３０の先端に形成された切り欠３０ａとが互いに係合して、硬貨支承手段２２の硬貨支承部２２ｄをコインチューブ１０内の最下面から退避させるようにしており、また図２に示すように硬貨支承手段２２および硬貨支承部２２ｄをコインチューブ１０の中心Ｏを通過する直線に対して距離Ｎだけ偏倚し、かつ硬貨支承部２２ｄの先端を円弧形状に形成しているから、従来（実開平２ー９９４６５号に記載されたもの）の如くペイアウトスライドの先端とブロックの先端とを直接当接させる場合と比較して、硬貨支承手段２２の硬貨支承部２２ｄがコインチューブ１０の一側面（正面１０ａ）から突出する量が小さく、そのため硬貨払出装置の幅Ｗ２を一層狭くすることができる。
【００３２】
また従来（実開平２ー９９４６５号に記載されたもの）の如くペイアウトスライドの先端とブロック先端とを直接当接させるのではなく、硬貨支承部２２ｄに隣接して形成された直線状の係合部２２ｃとペイアウトスライド３０の先端、即ち実施例ではペイアウトスライド３０の先端に形成された切り欠３０ａとを互いに係合させることにより、硬貨支承手段２２の硬貨支承部２２ｄをコインチューブ１０内の最下面から退避させるようにしているから、この硬貨支承部２２ｄはペイアウトスライド３０とは直接当接せず、従って硬貨支承部２２ｄおよびペイアウトスライド３０が損傷を受け変形することもない。
【００３３】
一方、図２で示すペイアウトスライド３０の初期位置から、硬貨収容孔１１内に収容された硬貨１２を払い出すべく矢印Ｂで示すように、当該ペイアウトスライド３０を移動させると、図４およびそのＤＤ断面で示す図５、さらに図４の概念斜視図で示す図６のように、硬貨収容孔１１の内周面がコインベース６の外周縁６ａから脱出し、このため硬貨収容孔１１内に収容された一枚の大径の硬貨１２が下方へ落下して払い出される。
【００３４】
このように、ペイアウトスライド３０が、図２に示す初期位置から図４に示す硬貨払出位置へ移動すると、図２で示す硬貨支承部材２１の硬貨支承手段２２を構成する係合部２２ｃとペイアウトスライド３０の切り欠３０ａとの係合が解除され、これにより硬貨支承手段２２は自己の弾発力により固定された端を支点に、図４で示すように時計方向へ回転し、それにより硬貨支承手段２２の硬貨支承部２２ｄはコインチューブ１０内の最下面に侵入し、その上面で、コインチューブ１０内に残った大径の硬貨Ｃの最下面を支持する。
【００３５】
従って、図４、図６で示すように、ペイアウトスライド３０の硬貨支承面３０ｃの長さＳ４を極めて短く設定しても、コインチューブ１０内に残された大径の硬貨Ｃの姿勢が傾斜することはなく、水平姿勢を維持することとなる。
【００３６】
このように、硬貨支承部材２１の硬貨支承部２２ｄとペイアウトスライド３０の硬貨支承面３０ｃとにより、コインチューブ１０内に残された大径の硬貨Ｃの両端部を支持し、その水平姿勢を維持すると、ペイアウトスライド３０が図１に示す初期位置に復帰する際に、当該ペイアウトスライド３０と硬貨Ｃとが衝突することはなく、従ってペイアウトスライド３０の磨耗あるいは損傷が可及的に防止されることとなる。
【００３７】
また、当該ペイアウトスライド３０と硬貨Ｃとが衝突することがないから、コインチューブ１０内に収容された硬貨Ｃの枚数が少ない場合、硬貨Ｃの踊りが可及的に防止され、このため硬貨Ｃを硬貨収容孔１１内に安定して収容させることもできることとなる。
【００３８】
さらに、硬貨Ｃの一端を硬貨支承部材２１の硬貨支承部２２ｄで支えるため、図４で示すペイアウトスライド３０の硬貨支承面３０ｃの長さＳ４を短く設定することができ、このため硬貨払出装置２０の幅を図１で示すように極めて短い一定値Ｗ２に規定することができ、このため硬貨払出装置２０の大型化を防止するとともに、硬貨払出装置２０を硬貨処理装置内に面一で装着することもできる。
なお、ペイアウトスライド３０が図１に示す初期位置に復帰すると、前述したように、ペイアウトスライド３０の切り欠３０ａに係合する硬貨支承手段２２が反時計方向へ湾曲し、このため硬貨支承部２２ｄはコインチューブ１０内の最下面から退避し、コインチューブ１０内に収容された大径の硬貨Ｃのうち、次にその最下面に位置する硬貨１２を硬貨収容孔１１内に収容する状態となる。
【００３９】
なお、上記実施例では、大径の硬貨Ｃを収容するコインチューブ１０に硬貨支承部材２１を配設する場合について詳述したが、この発明は上記実施例に限定されることなく、硬貨Ｃとは径の異なる硬貨を収容する別のコインチューブに硬貨支承部材２１を適用するようにしても良い。
【００４０】
なお、上記実施例では硬貨支承手段２２の係合部２２ｃと対向する位置のペイアウトスライド３０端部に切り欠３０ａを形成し、この切り欠３０ａと係合部２２ｃとを係合させるようにしたが、この切り欠３０ａは必ずしも必要ではなく、単にペイアウトスライド３０端部と係合させるだけでも良い。
【００４１】
さらに、硬貨支承手段２２の係合部２２ｃと係合するペイアウトスライド３０の位置は、その端部に限らず、他の部分でもよく、例えばペイアウトスライド３０に突起を形成し、その突起と係合部２２ｃとを係合させるようにしても良い。
またペイアウトスライド３０の上面に、硬貨支承手段２２の硬貨支承部２２ｄが遊挿する凹部３０ｂを形成するようにしたが、コインチューブ１０の最下部とペイアウトスライド３０の上面との間に硬貨支承手段２２の硬貨支承部２２ｄが遊挿する隙間が形成されていれば無くても良い。
【００４２】
【発明の効果】
以上説明したように、この発明の硬貨払出装置では、硬貨支承手段の係合部とペイアウトスライドとを互いに係合させて、硬貨支承手段の硬貨支承部をコインチューブ内の最下面から退避させるようにしているから、従来の如くペイアウトスライドの先端と硬貨支承部の先端とを直接当接させる場合と比較して、硬貨支承部およびペイアウトスライドの損傷が可及的に防止され、これにより長期に渡り安定して作動する硬貨払出装置を提供することができる。
【００４３】
また硬貨支承手段の係合部とペイアウトスライドとを互いに係合させて、硬貨支承手段の硬貨支承部をコインチューブ内の最下面から退避させるようにしているから、従来の如くペイアウトスライドの先端と硬貨支承手段の硬貨支承部とを直接当接させる場合と比較して、硬貨支承手段の硬貨支承部がコインチューブの一側面から突出する量が小さく、そのため硬貨払出装置の幅をさらに狭くして、一層小型の硬貨払出装置を提供することができる。
【図面の簡単な説明】
【図１】図１はこの発明に係わる硬貨払出装置の要部概念断面図。
【図２】図２は図１のＣＣ断面図。
【図３】図３は図１の概念斜視図。
【図４】図４はこの発明に係わる硬貨払出装置の硬貨払出状態を示す概念断面図。
【図５】図５は図４のＤＤ断面図。
【図６】図６は図４の概念斜視図。
【図７】図７は従来の硬貨払出装置の要部概念断面図。
【図８】図８は従来の硬貨払出装置の硬貨払出状態を示す概念断面図。
【図９】図９は従来の硬貨払出装置の要部概念断面図。
【図１０】図１０は従来の硬貨払出装置の硬貨払出状態を示す概念断面図。
【図１１】図１１は従来の硬貨払出装置の硬貨払出状態を示す概念断面図。
【図１２】図１２は従来の硬貨払出装置の要部概念断面図。
【符号の説明】
１０…コインチューブ
２０…硬貨払出装置
２２…硬貨支承手段
２２ｃ…係合部
２２ｄ…硬貨支承部
３０…ペイアウトスライド
３０ａ…切り欠部
３０ｂ…凹部
【図１】
0004149646.tif 000002
【図２】
0004149646.tif 000003
【図３】
0004149646.tif 000004
【図４】
0004149646.tif 000005
【図５】
0004149646.tif 000006
【図６】
0004149646.tif 000007
【図７】
0004149646.tif 000008
【図８】
0004149646.tif 000009
【図９】
0004149646.tif 000010
【図１０】
0004149646.tif 000011
【図１１】
0004149646.tif 000012
【図１２】
0004149646.tif 000013